(57)【要約】【課題】  入力される電圧の値が瞬時的に変動した場合でも、光源が発する光のちらつきを低減することができる点灯システム、照明装置、及び照明器具を提供する。【解決手段】  制御回路１ｅは、光源１２の調光レベルの指示値に応じて負荷電流Ｉｏの目標電流値を設定する。また、制御回路１ｅは、電流検出信号Ｓｄに基づく負荷電流Ｉｏの検出電流値と目標電流値との偏差が小さくなるように電源回路１１０のスイッチング素子のオンデューティを調整する。そして、制御回路１ｅは、偏差にフィードバックゲインを掛け合わせることでオンデューティの制御値を求め、調光レベルの指示値に応じてフィードバックゲインを設定する。【選択図】図１
2019175836.tif 000002
【特許請求の範囲】
【請求項１】
交流電源から交流電力を供給されて、スイッチング素子のオンデューティが制御されることで光源に直流の負荷電流を供給する電源回路と、
前記負荷電流の大きさに応じた電流検出信号を出力する電流検出回路と、
前記光源の調光レベルの指示値に応じて前記負荷電流の目標電流値を設定し、前記電流検出信号に基づく前記負荷電流の大きさを表す検出電流値と前記目標電流値との差分を偏差とし、前記偏差にフィードバックゲインを掛け合わせることで、前記偏差を小さくするための前記スイッチング素子の前記オンデューティの制御値を求め、前記制御値に基づいて前記オンデューティを調整する制御回路と、を備え、
前記制御回路は、前記調光レベルの前記指示値に応じて前記フィードバックゲインを設定する
点灯システム。
【請求項２】
前記光源の両端電圧の大きさを負荷電圧値として検出する負荷電圧検出回路をさらに備え、
前記制御回路は、前記調光レベルの前記指示値及び前記負荷電圧値に応じて前記フィードバックゲインを設定する
請求項１記載の点灯システム。
【請求項３】
前記制御回路は、前記調光レベルの前記指示値が低いほど前記フィードバックゲインの絶対値を大きくし、かつ、前記負荷電圧値が低いほど前記フィードバックゲインの絶対値を大きくする
請求項２記載の点灯システム。
【請求項４】
前記検出電流値が増大する方向に前記電流検出信号の大きさをオフセットさせるオフセット回路をさらに備え、
前記制御回路は、前記オフセットされた前記電流検出信号に基づいて前記検出電流値を求める
請求項１乃至３のいずれか一項に記載の点灯システム。
【請求項５】
前記検出電流値に対応する電圧値と前記目標電流値に対応する電圧値との差を増幅して、偏差信号として出力する偏差増幅回路をさらに備え、
前記制御回路は、前記偏差信号に基づいて前記偏差を求める
請求項１乃至４のいずれか一項に記載の点灯システム。
【請求項６】
前記電源回路は、前記交流電源の力率を改善する力率改善機能を有する
請求項１乃至５のいずれか一項に記載の点灯システム。
【請求項７】
前記制御回路は、前記調光レベルの指示値が高いほど前記目標電流値を大きくし、かつ前記フィードバックゲインを小さくし、前記調光レベルの指示値が低いほど前記目標電流値を小さくし、かつ前記フィードバックゲインを大きくする
請求項１乃至６のいずれか一項に記載の点灯システム。
【請求項８】
前記調光レベルの指示値を表す指示情報を外部から受け取る情報取得部をさらに備え、
前記電源回路は、前記交流電源の交流電圧の通電期間である導通角が可変に設定された交流の位相制御電圧を入力され、
前記情報取得部は、前記導通角を前記指示情報として受け取り、前記制御回路へ前記調光レベルの指示値を伝達する
請求項１乃至７のいずれか一項に記載の点灯システム。
【請求項９】
請求項１乃至８のいずれか一項に記載の点灯システムと、
前記点灯システムから前記負荷電流を供給される光源と、を備える
照明装置。
【請求項１０】
請求項１乃至８のいずれか一項に記載の点灯システムと、
前記点灯システムから前記負荷電流を供給される光源と、
少なくとも前記光源が支持される筐体と、を備える
照明器具。
【発明の詳細な説明】
【技術分野】
【０００１】
本発明は、一般に、点灯システム、照明装置、及び照明器具に関する。
【背景技術】
【０００２】
従来、特許文献１に示すように、電力変換部と、制御部と、を備えた点灯回路が提供されている。電力変換部は、電源供給経路を介して調光器に接続され、さらに照明負荷に接続される。電力変換部は、位相制御された交流電圧を調光器から供給され、スイッチング素子をオン、オフすることで、直流電圧を照明負荷に供給する。
【０００３】
そして、電力変換部は、交流電圧の導通角を検出し、検出した導通角に応じて電力の変換を制御することで、検出した導通角に応じて照明負荷を調光する。さらに、電力変換部は、照明負荷に流れる電流を検出し、検出した電流に基づいて照明負荷に流れる電流を制御する。電力変換部は、例えば、照明負荷に流れる電流を実質的に一定に制御する。
【先行技術文献】
【特許文献】
【０００４】
【特許文献１】特開２０１５−１８５３６０号公報
【発明の概要】
【発明が解決しようとする課題】
【０００５】
しかし、上述の従来の点灯回路（点灯システム）では、入力される交流電圧の値が瞬時的に変動すると、スイッチング素子のオン時にスイッチング素子に流れる電流のピーク値が変動するため、照明負荷（光源）に流れる電流（負荷電流）にも変動が生じる。この結果、入力される交流電圧の値の瞬時的な変動によって、照明負荷が発する光量が変動し、光のちらつきが生じることがある。
【０００６】
そこで、本発明の目的とするところは、入力される電圧の値が瞬時的に変動した場合でも、光源が発する光のちらつきを低減することができる点灯システム、照明装置、及び照明器具を提供することにある。
【課題を解決するための手段】
【０００７】
本発明の一態様に係る点灯システムは、電源回路と、電流検出回路と、制御回路と、を備える。前記電源回路は、交流電源から交流電力を供給されて、スイッチング素子のオンデューティが制御されることで光源に直流の負荷電流を供給する。前記電流検出回路は、前記負荷電流の大きさに応じた電流検出信号を出力する。前記制御回路は、前記光源の調光レベルの指示値に応じて前記負荷電流の目標電流値を設定し、前記電流検出信号に基づく前記負荷電流の大きさを表す検出電流値と前記目標電流値との差分を偏差とする。前記制御回路は、前記偏差にフィードバックゲインを掛け合わせることで、前記偏差を小さくするための前記スイッチング素子の前記オンデューティの制御値を求め、前記制御値に基づいて前記オンデューティを調整する。そして、前記制御回路は、前記調光レベルの前記指示値に応じて前記フィードバックゲインを設定する。
【０００８】
本発明の一態様に係る照明装置は、上述の点灯システムと、前記点灯システムから前記負荷電流を供給される光源と、を備える。
【０００９】
本発明の一態様に係る照明器具は、上述の点灯システムと、前記点灯システムから前記負荷電流を供給される光源と、少なくとも前記光源が支持される筐体と、を備える。
【発明の効果】
【００１０】
以上説明したように、本発明では、入力される電圧の値が瞬時的に変動した場合でも、光源が発する光のちらつきを低減することができるという効果がある。
【図面の簡単な説明】
【００１１】
【図１】図１は、実施形態に係る点灯システムを備える照明システムを示すブロック図である。
【図２】図２は、同上の点灯システムの各部の波形を示す波形図である。
【図３】図３は、同上の点灯システムのオンデューティと負荷電流との関係を表す静特性図である。
【図４】図４は、同上の点灯システムの全点灯時のゲイン特性及び位相特性を示す特性図である。
【図５】図５は、同上の点灯システムの調光点灯時のゲイン特性及び位相特性を示す特性図である。
【図６】図６は、同上の第１変形例に係る点灯システムを示すブロック図である。
【図７】図７は、同上の第２変形例に係る点灯システムを示すブロック図である。
【図８】図８は、同上の第３変形例に係る点灯システムの負荷電圧検出回路の構成例を示すブロック図である。
【図９】図９は、同上の点灯システムの電圧波形を示す波形図である。
【図１０】図１０は、同上の負荷電圧検出回路の別の構成例を示すブロック図である。
【図１１】図１１Ａは、同上の点灯システムを備える照明器具を示す断面図である。図１１Ｂは、同上の点灯システムを備える別の照明器具を示す断面図である。
【発明を実施するための形態】
【００１２】
以下の実施形態は、一般に、点灯システム、照明装置、及び照明器具に関する。より詳細には、交流電圧を入力されて、スイッチング素子がオン、オフすることで光源に負荷電流を供給する点灯システム、照明装置、及び照明器具に関する。なお、以下に説明する実施形態は、本発明の実施形態の一例にすぎない。本発明は、以下の実施形態に限定されず、本発明の効果を奏することができれば、設計等に応じて種々の変更が可能である。
【００１３】
実施形態の点灯システム、照明装置、及び照明器具は、主に、住戸、オフィス、工場、または店舗などで用いられる。住戸は、戸建住宅及び集合住宅のいずれでもよい。
【００１４】
以下に実施形態を図面に基づいて説明する。
【００１５】
実施形態の照明システムＡ１は、図１に示すように、照明装置１と、調光器２とを備える。そして、照明装置１と調光器２との直列回路が交流電源９の両端間に接続している。交流電源９は、周波数５０Ｈｚまたは６０Ｈｚの商用電源である。
【００１６】
調光器２は、交流電源９から照明装置１に供給される交流電圧Ｖａを位相制御する。つまり、照明装置１は、調光器２によって位相制御された電圧（位相制御電圧Ｖｂ）が入力される。調光器２が位相制御電圧Ｖｂの半波毎の通電期間である導通角を調整することによって、照明装置１が導通角に応じて調光を行う。この場合、導通角が、光源１２の調光レベルの指示値を表す指示情報に相当する。
【００１７】
照明装置１は、調光が可能な照明器具であり、図１に示すように、点灯システム１１、及び光源１２を備える。点灯システム１１と光源１２は、共通の筐体に収納されて一体に構成されてもよいし、点灯システム１１と光源１２は、別体に構成されてもよい。
【００１８】
点灯システム１１は、電源回路１１０、整流回路１ａ、位相検出回路１ｄ、制御回路１ｅ、駆動回路１ｆ、起動回路１ｇ、第１制御電源１ｈ、第２制御電源１ｉ、電流検出回路１ｊ、及び電圧検出回路１ｋを備える。電源回路１１０は、コンバータ１ｂ、及びコンデンサ１ｃを有する。
【００１９】
整流回路１ａは、ダイオードブリッジなどを有する全波整流回路であり、調光器２によって位相制御された位相制御電圧Ｖｂが入力される。整流回路１ａは、位相制御電圧Ｖｂを全波整流して、脈流電圧Ｖｃを出力する。図２は脈流電圧Ｖｃの波形を示す。図２の脈流電圧Ｖｃは、位相制御電圧Ｖｂと同様に位相制御されており、半波毎に通電状態となっている期間を導通角θとする。なお、図２において、一点鎖線は、交流電圧Ｖａを全波整流した全波整流電圧Ｖｅの波形を示す。さらに、整流回路１ａの前段に、フィルタ回路を有していてもよい。フィルタ回路は、例えばノイズ除去用のインダクタ及びコンデンサ、サージアブソーバを有しており、不要な周波数成分（例えば高周波ノイズ）を減衰させる。
【００２０】
電源回路１１０は、脈流電圧Ｖｃを入力され、直流の出力電圧Ｖｏを出力する。
【００２１】
具体的に、コンバータ１ｂは、脈流電圧Ｖｃを直流電圧に変換して、コンデンサ１ｃに直流電圧を出力する。コンデンサ１ｃは、コンバータ１ｂから出力された直流電圧を平滑し、コンデンサ１ｃの両端間には直流の出力電圧Ｖｏが生じる。コンバータ１ｂは、半導体スイッチング素子を有するＡＣ／ＤＣコンバータ（スイッチング電源回路）であり、半導体スイッチング素子がオンオフすることによって、脈流電圧Ｖｃが出力電圧Ｖｏに変換される。
【００２２】
なお、コンバータ１ｂは、シングルステージコンバータ（ＳＳコンバータ）を構成することが好ましい。ＳＳコンバータは、力率改善回路の機能とＡＣ／ＤＣコンバータの機能とを備えた、１コンバータ方式（電圧変換が１回）のコンバータである。例えば、コンバータ１ｂは、力率改善機能を有する昇降圧コンバータであることが好ましい。
【００２３】
光源１２は、複数の固体発光素子として、複数のＬＥＤ（Light Emitting Diode）を具備しており、電流検出回路１ｊに直列接続されている。光源１２と電流検出回路１ｊとの直列回路は、コンデンサ１ｃの両端間に接続しており、電源回路１１０の出力電圧Ｖｏを印加される。そして、光源１２は、電源回路１１０から負荷電流Ｉｏを供給されることで、照明光を発する。なお、光源１２が有する複数のＬＥＤは、直列接続、または直列接続及び並列接続されている。
【００２４】
位相検出回路１ｄは、光源１２の調光レベルの指示値を表す指示情報を外部から受け取る情報取得部に相当する。本実施形態では、脈流電圧Ｖｃの導通角θ（位相制御電圧Ｖｂの導通角）が指示情報に相当する。位相検出回路１ｄは、脈流電圧Ｖｃと判定基準値とを比較し、比較結果に基づいて生成したＰＷＭ信号を位相検出信号Ｓａとして出力する。位相検出信号Ｓａは、位相制御電圧Ｖｂに同期したパルス信号であり、位相検出信号Ｓａのオンデューティが導通角θの大きさに対応する。具体的に、導通角θが増加すると、位相検出信号Ｓａのオンデューティは増加し、導通角θが減少すると、位相検出信号Ｓａのオンデューティは減少する。
【００２５】
制御回路１ｅは、コンピュータシステムを具備しており、コンピュータシステムは、ハードウェアとしてのプロセッサ及びメモリを主構成とする。そして、メモリに記録されたプログラムをプロセッサが実行することによって、本実施形態における制御回路１ｅの機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００２６】
第１制御電源１ｈは、起動回路１ｇまたはコンバータ１ｂから電力を入力され、直流の第１制御電圧Ｖｄ１を出力する。第１制御電圧Ｖｄ１は、駆動回路１ｆの動作電圧になる。
【００２７】
起動回路１ｇは、交流電源９から調光器２を介して点灯システム１１への電力供給が開始された直後の始動期間に、脈流電圧Ｖｃを第１制御電源１ｈへ出力する。始動期間において、第１制御電源１ｈは脈流電圧Ｖｃを入力されて、第１制御電圧Ｖｄ１を出力する。
【００２８】
そして、始動期間から定常期間に移行すると、起動回路１ｇは脈流電圧Ｖｃの出力を停止する。一方、コンバータ１ｂは、トランス及びスイッチング素子を具備しており、定常期間では、スイッチング素子をオンオフするスイッチング動作によってトランスの一次巻線に流れる電流を導通、遮断する。そして、トランスの二次巻線に生じる誘起電圧が第１制御電源１ｈへ供給される。すなわち、定常期間において、第１制御電源１ｈはコンバータ１ｂのスイッチング動作による誘起電圧を入力されて、第１制御電圧Ｖｄ１を出力する。
【００２９】
駆動回路１ｆは、第１制御電圧Ｖｄ１によって動作し、制御回路１ｅからスイッチング制御信号Ｓｂを入力され、スイッチング制御信号Ｓｂに基づいて駆動信号Ｓｃを生成する。そして、駆動回路１ｆは、駆動信号Ｓｃをコンバータ１ｂへ出力し、コンバータ１ｂのスイッチング素子をオンオフ駆動する。
【００３０】
第２制御電源１ｉは、第１制御電圧Ｖｄ１を入力され、直流の第２制御電圧Ｖｄ２を出力する。第２制御電圧Ｖｄ２は、制御回路１ｅの動作電圧になる。なお、本実施形態において、第２制御電圧Ｖｄ２は第１制御電圧Ｖｄ１より低い電圧値であるが、第１制御電圧Ｖｄ１と第２制御電圧Ｖｄ２の大小関係は、この関係に限定されない。また、第１制御電源１ｈ及び第２制御電源１ｉは、スイッチング電源、リニア電源のいずれでもよい。
【００３１】
電流検出回路１ｊは、例えば負荷電流Ｉｏが流れる電流検出抵抗を備えており、電流検出抵抗の両端電圧を電流検出信号Ｓｄとして制御回路１ｅへ出力する。この場合、電流検出信号Ｓｄは、負荷電流Ｉｏの大きさに比例する電圧値の電圧信号になり、電流検出信号Ｓｄの電圧値が検出電流値に相当する。すなわち、検出電流値は、電流検出信号Ｓｄに基づく負荷電流Ｉｏの大きさを表す。
【００３２】
電圧検出回路１ｋは、コンデンサ１ｃの両端間に接続された分圧抵抗の直列回路を備えており、出力電圧Ｖｏを分圧した電圧を電圧検出信号Ｓｅとして制御回路１ｅへ出力する。この場合、電圧検出信号Ｓｅは、出力電圧Ｖｏの大きさに比例する電圧値の電圧信号になり、電圧検出信号Ｓｅの電圧値が電圧検出値に相当する。
【００３３】
そして、制御回路１ｅは、位相検出信号Ｓａ、電流検出信号Ｓｄ、及び電圧検出信号Ｓｅに基づいてスイッチング制御信号Ｓｂを生成し、スイッチング制御信号Ｓｂを駆動回路１ｆへ出力する。
【００３４】
具体的に、制御回路１ｅは、位相検出信号Ｓａのオンデューティ（調光レベルの指示値に相当）に基づいて、導通角θの大きさを位相検出信号Ｓａから読み取り、導通角θの大きさに応じて負荷電流Ｉｏの目標電流の値（目標電流値）を決定する。そして、制御回路１ｅは、検出電流値と目標電流値との偏差（差分）が小さくなるように（ゼロに近付くように）、コンバータ１ｂのスイッチング素子のオンデューティを調整するためのスイッチング制御信号Ｓｂを生成する。すなわち、制御回路１ｅは、検出電流値と目標電流値との偏差が小さくなるようにコンバータ１ｂのスイッチング素子のオンデューティを調整するフィードバック制御を行う。この結果、光源１２の調光レベルが調光レベルの指示値になるように、負荷電流Ｉｏが定電流制御される。なお、導通角θの大きさが大きいほど調光レベルの指示値は高いので、導通角θの大きさが大きいほど目標電流値は大きくなる。また、導通角θの大きさが小さいほど調光レベルの指示値は低いので、導通角θの大きさが小さいほど目標電流値は小さくなる。
【００３５】
また、制御回路１ｅは、電圧検出値（電圧検出信号Ｓｅの電圧値）に基づいて、出力電圧Ｖｏの過電圧状態が発生しているか否かを判定する。そして、制御回路１ｅは、過電圧状態が発生していると判定した場合、目標電流値をゼロとして、負荷電流Ｉｏの値がゼロになるようにスイッチング制御信号Ｓｂを生成する。すなわち、制御回路１ｅは、過電圧状態の発生時において出力電圧Ｖｏの出力を停止させる。
【００３６】
上述の点灯システム１１では、コンバータ１ｂがＳＳコンバータであるので、１回の電圧変換で負荷電流Ｉｏを制御することができ、コストダウン及び電気効率の向上を図ることができる。
【００３７】
従来、ＳＳコンバータのスイッチング制御には、汎用的なアナログ制御ＩＣ（Integrated Circuit）が広く用いられている。アナログ制御ＩＣは、検出電流値と目標電流値との偏差を求める。そして、アナログ制御ＩＣは、求めた偏差がゼロとなるようにスイッチング素子をフィードバック制御する。このとき、アナログ制御ＩＣは、ＳＳコンバータのスイッチング素子のオン時間の平均値がほぼ固定値になるように、スイッチング素子を制御する。アナログ制御ＩＣを用いたスイッチング制御では、スイッチング素子に流れる電流（スイッチング電流）が交流電圧Ｖａの正弦波形に応じてスイッチング周期ごとのピーク値が決定されるため、力率改善を容易に実現できる。
【００３８】
しかしながら、ＳＳコンバータが出力する負荷電流には、入力される交流電圧の周波数（５０Ｈｚまたは６０Ｈｚ）の２倍の周波数のリップル電流が重畳してしまう。この結果、光源を調光する際に以下の問題が生じる。まず、入力される交流電圧（入力電圧）の値が、外乱またはノイズなどによって瞬時的に変動すると、ＳＳコンバータのスイッチング素子のオン時にスイッチング電流のピーク値が変動するため、負荷電流にも変動が生じる。この結果、入力される交流電圧の値の瞬時的な変動によって、光源が発する光量が変動し、光のちらつきが生じることがある。
【００３９】
例えば、汎用的なアナログ制御ＩＣは、検出電流値と目標電流値との偏差にフィードバックゲインを掛け合わせることで、スイッチング素子のオン時間の制御値を求める。このとき、オン時間を決定するフィードバックゲインは、アナログ制御ＩＣの周辺回路の定数によって一義に決まる。そのため、全点灯状態に対して最適なフィードバックゲインが設定されると、調光点灯状態ではフィードバックゲインが小さすぎるなどの弊害があった。このため、交流電圧の値の瞬時的な変動に追従してオン時間を変化させるフィードバック制御の応答性（追従性）及び安定性が比較的低く、負荷電流の変動が生じやすかった。
【００４０】
さらに、交流電圧の位相を制御する位相制御式が調光方式として採用された場合、負荷電流のみならず入力電圧も変動するので、位相制御電圧の実効値も変動する。このため、スイッチング素子の制御はより複雑になり、汎用的なアナログ制御ＩＣでは安定性及び追従性を両立させることがより困難であった。そのため、従来、位相制御式が調光方式として採用された場合、ＡＣＤＣコンバータが直流の出力電圧を生成し、ＡＣＤＣコンバータの出力端に光源と定電流回路との直列回路を接続して、交流−直流変換機能と出力電流制御機能とを分離しているものが主流であった。しかしながら、この従来方式では回路が大規模化し、さらに定電流回路に電力損失が生じるという問題があった。
【００４１】
そこで、本実施形態の制御回路１ｅは、導通角θに応じてフィードバックゲインを変化させる。この結果、交流電圧Ｖａの値の瞬時的な変動に対して負荷電流Ｉｏを定電流制御する際に、光源１２の全点灯状態、調光点灯状態に関わらず高い応答性及び安定性が実現される。
【００４２】
図３は、コンバータ１ｂ（ＳＳコンバータ）のスイッチング素子のオンデューティＤｏｎと負荷電流Ｉｏとの関係を表す静特性図である。ここでは、説明の簡単化のために、スイッチング周期Ｔ１を一定にしており、オン時間をＴｏｎとすると、Ｄｏｎ＝Ｔｏｎ／Ｔ１になる。図３に示すように、オンデューティＤｏｎに対する負荷電流Ｉｏの関係は指数関数によって表される関係になっている。すなわち、オンデューティＤｏｎの変化量ΔＤｏｎに対して、オンデューティＤｏｎが大きい領域（調光レベルが高い領域）における負荷電流Ｉｏの変化量ΔＩｏ１と、オンデューティＤｏｎが小さい領域（調光レベルが低い領域）における負荷電流Ｉｏの変化量ΔＩｏ２とは、ΔＩｏ１＞ΔＩｏ２の関係になる。つまり、負荷電流Ｉｏが変動すると最適なフィードバックゲインも変化することが示されている。
【００４３】
そして、制御回路１ｅは、所定周期でコンバータ１ｂのスイッチング素子をオンさせ、検出電流値と目標電流値との偏差が小さくなるようにスイッチング素子のオンデューティＤｏｎの制御値を決定する。制御回路１ｅは、オンデューティＤｏｎの制御値に基づいてスイッチング制御信号Ｓｂを生成し、スイッチング制御信号Ｓｂを駆動回路１ｆへ出力する。駆動回路１ｆは、スイッチング制御信号Ｓｂにしたがって、コンバータ１ｂのスイッチング素子のオンデューティＤｏｎを増減させる。
【００４４】
具体的に、制御回路１ｅは、位相検出信号Ｓａから読み取った導通角θに対応する目標電流値及びフィードバックゲインを求める。例えば、制御回路１ｅは、導通角θの全範囲に亘る各値に目標電流値を対応付けた第１ルックアップテーブル、及び導通角θの全範囲に亘る各値にフィードバックゲインを対応付けた第２ルックアップテーブルを予め記憶している。そして、制御回路１ｅは、位相検出信号Ｓａから読み取った導通角θに対応する目標電流値及びフィードバックゲインを、第１ルックアップテーブル及び第２ルックアップテーブルを参照して求める。
【００４５】
本実施形態において、制御値は、前回のオンデューティＤｏｎに対する今回のオンデューティＤｏｎの差分値（前回オンデューティＤｏｎからの増大値または減少値）である。フィードバックゲインは、制御値を偏差に基づいて求める際に用いられる係数である。本実施形態では、制御回路１ｅは、離散値を扱うデジタルＰＩＤ制御方式によって制御値を求める。この場合、離散値のサンプル番号をｎとし、制御値をＹ（ｎ）とし、フィードバックゲインをα１、α２、α３とし、偏差をＥ（ｎ）とすると、制御回路１ｅは、以下の式１を用いて制御値Ｙ（ｎ）を求める。なお、Ｙ（ｎ−１）は前回の制御値であり、Ｅ（ｎ）は今回の偏差であり、Ｅ（ｎ−１）は前回の偏差であり、Ｅ（ｎ−２）は前々回の偏差である。
Ｙ（ｎ）＝Ｙ（ｎ−１）＋α１×Ｅ（ｎ）＋α２×Ｅ（ｎ−１）＋α３×Ｅ（ｎ−２）              ………（式１）
式１のフィードバックゲインα１、α２、α３は、第２ルックアップテーブルを参照して、位相検出信号Ｓａから読み取った導通角θに対応する各値に設定される。具体的に、位相検出信号Ｓａから読み取った導通角θが小さいほど（調光レベルの指示値が低いほど）、フィードバックゲインα１、α２、α３の絶対値はそれぞれ大きくなる。また、位相検出信号Ｓａから読み取った導通角θが大きいほど（調光レベルの指示値が大きいほど）、フィードバックゲインα１、α２、α３の絶対値はそれぞれ小さくなる。
【００４６】
したがって、調光レベルが下がるほどフィードバックゲインα１、α２、α３の絶対値がそれぞれ大きくなる。この結果、交流電圧Ｖａの値の瞬時的な変動に追従してオンデューティＤｏｎを変化させるフィードバック制御の応答性及び安定性が向上し、負荷電流Ｉｏの変動を抑えることができる。
【００４７】
また、調光レベルが低くなるほど位相制御電圧Ｖｂの実効値は小さくなり、調光レベルが高くなるほど位相制御電圧Ｖｂの実効値は大きくなる。しかしながら、本実施形態の制御回路１ｅは、位相検出信号Ｓａから読み取った導通角θに対応するフィードバックゲインα１、α２、α３を用いて制御値Ｙ（ｎ）を求めるので、位相制御電圧Ｖｂの実効値の変動に関わらず、フィードバック制御の応答性及び安定性を維持することができる。
【００４８】
すなわち、点灯システム１１は、入力電圧（交流電圧Ｖａ）の値が瞬時的に変動した場合でも、光源１２が発する光のちらつきを低減することができる。
【００４９】
また、制御回路１ｅは、導通角θを変数として目標電流値を求める第１関数、及び導通角θを変数としてフィードバックゲインを求める第２関数を予め記憶していてもよい。この場合、制御回路１ｅは、位相検出信号Ｓａから読み取った導通角θを第１関数及び第２関数にそれぞれ代入して、目標電流値及びフィードバックゲインα１、α２、α３を求める。
【００５０】
図４及び図５は、コンバータ１ｂが、ＳＥＰＩＣ回路、及びＲＣ平滑回路を備える場合のゲイン特性及び位相特性を示す。なお、ＲＣ平滑回路は、抵抗及びコンデンサを有する。
【００５１】
図４では、調光レベルとして最大レベル（１００％の全点灯状態）を指示されており、図４は、位相制御電圧Ｖｂの実効値が１００Ｖである場合の各特性を示す。図４の上段はゲイン特性Ｙ１１−Ｙ１４を示し、図４の下段は位相特性Ｙ２１−Ｙ２４を示す。ゲイン特性Ｙ１１及び位相特性Ｙ２１は、ＳＥＰＩＣ回路単体の各特性であり、ゲイン特性Ｙ１２及び位相特性Ｙ２２は、制御回路１ｅが実行するデジタルＰＩＤ制御の各特性である。また、ゲイン特性Ｙ１３及び位相特性Ｙ２３は、ＲＣ平滑回路単体の各特性であり、ゲイン特性Ｙ１４は、上述のゲイン特性Ｙ１１−Ｙ１３を合成したゲイン特性であり、位相特性Ｙ２４は、上述の位相特性Ｙ２１−Ｙ２３を合成した位相特性である。さらに、Ｙ１５はゲイン余裕を示し、Ｙ２５は位相余裕を示す。
【００５２】
一方、図５では、調光レベルとして１０％の調光点灯（調光点灯状態）を指示されており、図５は、位相制御電圧Ｖｂの実効値が５０Ｖである場合の各特性を示す。図５の上段はゲイン特性Ｙ３１−Ｙ３４を示し、図５の下段は位相特性Ｙ４１−Ｙ４４を示す。ゲイン特性Ｙ３１及び位相特性Ｙ４１は、ＳＥＰＩＣ回路単体の各特性であり、ゲイン特性Ｙ３２及び位相特性Ｙ４２は、制御回路１ｅが実行するデジタルＰＩＤ制御の各特性である。また、ゲイン特性Ｙ３３及び位相特性Ｙ４３は、ＲＣ平滑回路単体の各特性であり、ゲイン特性Ｙ３４は、上述のゲイン特性Ｙ３１−Ｙ３３を合成したゲイン特性であり、位相特性Ｙ４４は、上述の位相特性Ｙ４１−Ｙ４３を合成した位相特性である。さらに、Ｙ３５はゲイン余裕を示し、Ｙ４５は位相余裕を示す。
【００５３】
本実施形態の制御回路１ｅは、全点灯状態及び調光点灯状態のそれぞれにおいて、調光レベル（負荷電流Ｉｏ及び位相制御電圧Ｖｂの実効値に対応するパラメータ）に応じてフィードバックゲインα１、α２、α３を変化させる。この結果、図４及び図５に示すように、全点灯状態のゲイン特性と調光点灯状態のゲイン特性とがほぼ同じ特性になり、光源１２の点灯状態に関わらず高い応答性が実現される。また、位相余裕も十分に確保されており、高い安定性が実現されている。
【００５４】
なお、図５以外の調光点灯状態においても、調光レベルに応じてフィードバックゲインα１、α２、α３を変化させることで、応答性及び安定性を確保できる。
【００５５】
もし、調光レベルに応じてフィードバックゲインを変化させなければ、ＳＥＰＩＣ回路単体の特性に対応するフィードバックゲインは、位相制御電圧Ｖｂの実効値が減少すれば下がり、また光源１２を調光点灯状態に制御することでも下がる。また、調光レベルに応じてフィードバックゲインを変化させなければ、調光点灯時の位相余裕が減少する。この結果、本実施形態のような高い応答性及び安定性を確保することはできない。
【００５６】
なお、本実施形態では、制御回路１ｅがデジタルＰＩＤ制御を実行するが、デジタルＰＩＤ制御以外の他の制御を実行してもよい。
【００５７】
（第１変形例）
図６は、点灯システム１１の第１変形例を示す。
【００５８】
調光レベルが低くなるほど負荷電流Ｉｏが小さくなるため、図１の電流検出信号Ｓｄのノイズ耐性は、調光レベルが低くなるほど低下する。例えば、光源１２が１％の調光点灯状態である場合、電流検出信号Ｓｄの電圧値は、１００％の全点灯状態時の電流検出信号Ｓｄの電圧値に比べて、１００分の１になる。
【００５９】
そこで、第１変形例の点灯システム１１は、オフセット回路１ｍをさらに備える。オフセット回路１ｍは、検出電流値が増大する方向に電流検出信号Ｓｄの大きさをオフセットさせる。そして、制御回路１ｅは、オフセットされた電流検出信号Ｓｄに基づいて検出電流値を求める。
【００６０】
具体的に、オフセット回路１ｍは、電流検出回路１ｊに所定値の直流電流をさらに流すことで、電圧値が大きくなる方向にオフセットした電流検出信号Ｓｄを生成し、電流検出信号Ｓｄのノイズ耐性を向上させている。ここで、オフセット回路１ｍにおける電力損失を低減し、かつ制御回路１ｅに掛かる電気的なストレスを低減するために、オフセット回路１ｍは、第１制御電圧Ｖｄ１または第２制御電圧Ｖｄ２を電源として、電流検出回路１ｊに供給する直流電流を生成することが好ましい。なお、図６では、オフセット回路１ｍの電源を第２制御電圧Ｖｄ２としている。
【００６１】
（第２変形例）
図７は、点灯システム１１の第２変形例を示す。
【００６２】
上述のように、調光レベルが低くなるほど負荷電流Ｉｏが小さくなるため、図１の電流検出信号Ｓｄのノイズ耐性は、調光レベルが低くなるほど低下する。
【００６３】
そこで、第２変形例の点灯システム１１は、偏差増幅回路１ｎをさらに備える。偏差増幅回路１ｎは、目標電流値と検出電流値との偏差を増幅させることで、点灯状態に関わらずノイズ耐性を向上させることができる。
【００６４】
具体的に、制御回路１ｅは、目標電流値に対応する大きさの直流電圧を、電流目標信号Ｓｆとして偏差増幅回路１ｎへ出力する。偏差増幅回路１ｎは、電流目標信号Ｓｆの電圧値と電流検出信号Ｓｄの電圧値との差分電圧を増幅し、偏差信号Ｓｇとして制御回路１ｅへ出力する。そして、制御回路１ｅは、偏差信号Ｓｇの電圧値に基づいて偏差を求める。偏差信号Ｓｇの電圧値が大きいほど、偏差は大きく、偏差信号Ｓｇの電圧値が小さいほど、偏差は小さくなる。
【００６５】
なお、光源１２が有する複数の固体発光素子の各々は、ＬＥＤに限らず、有機ＥＬ（Organic Electro Luminescence、OEL）、または無機ＥＬなどの他の固体発光素子であってもよい。また、固体発光素子の数は、複数に限らず、１つであってもよい。複数の固体発光素子の電気的な接続関係は、直列接続、並列接続のいずれであってもよいし、直列接続と並列接続とを組み合わせた接続関係であってもよい。
【００６６】
（第３変形例）
図８は、点灯システム１１の第３変形例の構成の一部を示す。第３変形例の点灯システム１１は、負荷電圧検出回路１ｐをさらに備える。なお、上述の実施形態、第１変形例、又は第２変形例と同様の構成には同一の符号を付して、説明を省略する。
【００６７】
コンバータ１ｂ（図１、図６、及び図７参照）は、力率改善機能を有するＳＳコンバータであり、交流電源９から供給される電力の力率を改善することができる。コンバータ１ｂは、スイッチング素子を具備しており、スイッチング素子をオンオフするスイッチング動作によって、力率改善機能を実現している。
【００６８】
制御回路１ｅは、所定周期でコンバータ１ｂのスイッチング素子をオンさせる。そして、制御回路１ｅは、電流検出信号Ｓｄの電圧値を検出電流値として取得し、検出電流値と目標電流値との偏差が小さくなるようにスイッチング素子のオンデューティＤｏｎ（図３参照）の制御値を決定する。制御回路１ｅは、オンデューティＤｏｎの制御値に基づいてスイッチング制御信号Ｓｂを生成し、スイッチング制御信号Ｓｂを駆動回路１ｆへ出力する。駆動回路１ｆは、スイッチング制御信号Ｓｂにしたがって、コンバータ１ｂのスイッチング素子のオンデューティＤｏｎを増減させる。
【００６９】
ここで、負荷電流Ｉｏには、交流電源９の周波数（５０Ｈｚまたは６０Ｈｚ）の２倍の周波数のリップル電流が重畳する。この結果、電流検出信号Ｓｄの電圧値も交流電源９の周波数で脈動する。そこで、電流検出信号Ｓｄを平滑することが考えられる。しかし、平滑された電流検出信号を用いることで、前述の位相余裕が変化する可能性がある。すなわち、平滑された電流検出信号を用いた場合の位相余裕は、平滑されていない電流検出信号Ｓｄを用いた場合の位相余裕に比べて減少し、負荷電流Ｉｏに対する制御の安定性が低下する可能性がある。また、平滑された電流検出信号では、平滑されていない電流検出信号Ｓｄに比べてリップル成分に対する応答が遅くなる。
【００７０】
従来のアナログ制御ＩＣなどを用いた点灯システムは、ＳＳコンバータのスイッチング素子のオン時間の平均値がほぼ固定値になればよい、という思想で設計されていた。この場合、ＳＳコンバータに入力される交流電圧の値が、外乱またはノイズなどによって瞬時的に変動すると、負荷電流にも変動が生じる。例えば、図９では、外乱またはノイズなどによって脈流電圧Ｖｃに波形の欠け３０が生じている。また、脈流電圧Ｖｃの導通角θ、又は脈流電圧Ｖｃの振幅Ｖｐが外乱またはノイズなどによって変動することもある。この結果、入力される交流電圧の値の瞬時的な変動によって、光源が発する光量が変動し、光のちらつきが生じることがある。ちらつきの程度は、出力電圧の平滑度、又は調光レベルによっても変化する。特に調光方式として位相制御式を採用し、かつ、力率改善機能を有するコンバータを有する点灯システムにおいて、光のちらつきが顕著に表れる。
【００７１】
上述の実施形態、第１変形例、及び第２変形例では、調光レベルの指示値が低いほど、フィードバックゲインの絶対値を大きくして、フィードバック制御の応答性を早くする（位相余裕を大きくする）ことで、光のちらつきを低減させている。この場合、調光レベルの指示値に応じてちらつきを回避可能なフィードバックゲインの値を設定する必要がある。しかしながら、点灯システム１１が、順方向電圧の特性が異なる複数の光源のそれぞれを光源１２として用いることができるマルチ負荷タイプのシステムである場合、光源１２の順方向電圧の特性によって、ちらつきを回避可能なフィードバックゲインの値が異なる。
【００７２】
そこで、第３変形例では、点灯システム１１は、負荷電圧検出回路１ｐを備える。負荷電圧検出回路１ｐは、抵抗１２１、１２２の直列回路を有しており、抵抗１２１、１２２の直列回路は、光源１２に並列接続される。そして、抵抗１２１、１２２の接続点とグランド（コンデンサ１ｃの負極）との間の電圧が、負荷電圧検出信号Ｓｈとして制御回路１ｅへ出力される。この場合、光源１２の両端電圧を負荷電圧Ｖｆとすると、負荷電圧検出信号Ｓｈは、負荷電圧Ｖｆの大きさに比例する電圧値の電圧信号になり、負荷電圧検出信号Ｓｈの電圧値が負荷電圧値に相当する。すなわち、負荷電圧値は、負荷電圧検出信号Ｓｈに基づく負荷電圧Ｖｆの大きさを表す。
【００７３】
制御回路１ｅは、上述の実施形態、第１変形例、又は第２変形例と同様に、位相検出信号Ｓａから読み取った導通角θに対応する目標電流値及びフィードバックゲインを求める。以降の説明では、導通角θに対応するフィードバックゲインを第１フィードバックゲインと称す。
【００７４】
さらに、制御回路１ｅは、負荷電圧検出信号Ｓｈに基づいて負荷電圧値を読み取り、負荷電圧値に応じて第１フィードバックゲインを補正することで、第２フィードバックゲインを求める。
【００７５】
例えば、制御回路１ｅは、負荷電圧値の複数の範囲のそれぞれに、光源１２として使用可能な複数の光源の各補正係数を対応付けた第３ルックアップテーブルを予め記憶している。そして、制御回路１ｅは、負荷電圧検出信号Ｓｈから読み取った負荷電圧値に対応する補正係数を、第３ルックアップテーブルを参照して求める。
【００７６】
例えば、制御回路１ｅは、導通角θに対応する第１フィードバックゲインα１、α２、α３（式１参照）を求める。さらに、制御回路１ｅは、負荷電圧値に対応する補正係数Ｋ１、Ｋ２、Ｋ３を求める。そして、制御回路１ｅは、以下の式２を用いて、第２フィードバックゲインβ１、β２、β３をそれぞれ求める。
β１＝Ｋ１×α１、β２＝Ｋ２×α２、β３＝Ｋ３×α３………（式２）
そして、制御回路１ｅは、以下の式３を用いて制御値Ｙ（ｎ）を求める。
Ｙ（ｎ）＝Ｙ（ｎ−１）＋β１×Ｅ（ｎ）＋β２×Ｅ（ｎ−１）＋β３×Ｅ（ｎ−２）              ………（式３）
式２、及び式３の第２フィードバックゲインβ１、β２、β３は、位相検出信号Ｓａから読み取った導通角θ、及び負荷電圧検出信号Ｓｈから読み取った負荷電圧値に対応する各値に設定される。具体的に、第２フィードバックゲインβ１、β２、β３は、導通角θに対応する第１フィードバックゲインα１、α２、α３を、負荷電圧値に対応する補正係数Ｋ１、Ｋ２、Ｋ３でそれぞれ補正した値である。負荷電圧検出信号Ｓｈから読み取った負荷電圧値が小さいほど（負荷電圧Ｖｆの値が小さいほど）、補正係数Ｋ１、Ｋ２、Ｋ３は大きくなる。また、負荷電圧検出信号Ｓｈから読み取った負荷電圧値が大きいほど（負荷電圧Ｖｆの値が大きいほど）、補正係数Ｋ１、Ｋ２、Ｋ３は小さくなる。
【００７７】
したがって、負荷電圧Ｖｆの値が小さいほど第２フィードバックゲインβ１、β２、β３の絶対値がそれぞれ大きくなる。この結果、交流電圧Ｖａの値の瞬時的な変動に追従してオンデューティＤｏｎを変化させるフィードバック制御の応答性及び安定性が向上し、負荷電流Ｉｏの変動を抑えることができる。
【００７８】
すなわち、複数の光源のそれぞれを光源１２として用いることができるマルチ負荷タイプの点灯システム１１であっても、光源１２として用いられる光源の順方向電圧の特性に応じたフィードバックゲインを設定することができる。この結果、光源１２として用いられる光源の順方向電圧の特性に関わらず、光源１２が発する光のちらつきを低減することができる。
【００７９】
また、制御回路１ｅは、導通角θ及び負荷電圧値のそれぞれを変数としてフィードバックゲインを求める第３関数を予め記憶していてもよい。この場合、制御回路１ｅは、位相検出信号Ｓａから読み取った導通角θ、及び負荷電圧検出信号Ｓｈから読み取った負荷電圧値を第３関数にそれぞれ代入して、第２フィードバックゲインβ１、β２、β３をそれぞれ求める。
【００８０】
また、負荷電圧検出回路１ｐは、図１０に示す構成を備えていてもよい。図１０の負荷電圧検出回路１ｐは、抵抗１２１，１２２に加えて、オペアンプ１２３、抵抗１２４、及びコンデンサ１２５を備える。オペアンプ１２３は、抵抗１２１、１２２の接続点とグランド（コンデンサ１ｃの負極）との間の電圧が非反転入力端子に入力され、基準電圧Ｖｄ３が反転入力端子に入力され、非反転増幅器として動作する。オペアンプ１２３の出力は、抵抗１２４及びコンデンサ１２５のＲＣ回路によって平滑され、コンデンサ１２５の両端電圧が負荷電圧検出信号Ｓｈとして出力される。なお、図１０では、非反転増幅器としてのゲインを決定するための抵抗などの素子の図示を省略している。
【００８１】
図１１Ａは、天井パネル５に埋込配設されるダウンライトである照明器具Ｂ１を示す。照明器具Ｂ１は、上述の点灯システム１１と、上述の光源１２と、筐体３１，３２とを備える。筐体３１は、アルミニウムなどの金属によって、上面が閉塞され、下面が開口した有底の円筒形状に形成されている。筐体３１は光源１２を支持し、筐体３１の上底面には、光源１２が取り付けられている。光源１２は、基板上に複数のＬＥＤが実装されている。また、筐体３１の下面開口は円板状のカバー３３で閉塞されている。カバー３３は、ガラスまたはポリカーボネートなどの透光性材料で形成されている。点灯システム１１は、矩形箱状に形成された金属製の筐体３２に収納され、筐体３２に支持されており、天井パネル５の上面に配置されている。点灯システム１１は、電気ケーブル４１及びコネクタ４２を介して光源１２に電気的に接続されている。
【００８２】
図１１Ｂは、天井パネル５に埋込配設される別のダウンライトである照明器具Ｂ２を示す。照明器具Ｂ２は、上述の点灯システム１１と、上述の光源１２と、筐体６１とを備える。筐体６１は、アルミニウムなどの金属によって、上面が閉塞され、下面が開口した有底の円筒形状に形成されている。筐体６１の下面開口は、円板状のカバー６２で閉塞されている。カバー６２は、ガラスまたはポリカーボネートなどの透光性材料で形成されている。筐体６１内は、円板状の仕切板６３によって上下に分割されている。仕切板６３の上面側には、点灯システム１１が配置されており、筐体６１は点灯システム１１を支持している。仕切板６３の下面には、光源１２が配置されている。点灯システム１１は、仕切板６３の通線孔６４を通る電気ケーブル７１によって、光源１２と電気的に接続されている。
【００８３】
照明器具Ｂ１，Ｂ２のそれぞれは、上述の点灯システム１１を備えるので、入力電圧（交流電圧Ｖａ）の値が瞬時的に変動した場合でも、光源１２が発する光のちらつきを低減することができる。
【００８４】
以上のように、実施形態に係る第１の態様の点灯システム１１は、電源回路１１０と、電流検出回路１ｊと、制御回路１ｅと、を備える。電源回路１１０は、交流電源９から交流電力を供給されて、スイッチング素子のオンデューティが制御されることで光源１２に直流の負荷電流Ｉｏを供給する。電流検出回路１ｊは、負荷電流Ｉｏの大きさに応じた電流検出信号Ｓｄを出力する。制御回路１ｅは、光源１２の調光レベルの指示値に応じて負荷電流Ｉｏの目標電流値を設定する。また、制御回路１ｅは、電流検出信号Ｓｄに基づく負荷電流Ｉｏの大きさを表す検出電流値と目標電流値との差分を偏差とする。そして、制御回路１ｅは、偏差にフィードバックゲインα１、α２、α３又はβ１、β２、β３を掛け合わせることで、偏差を小さくするためのスイッチング素子のオンデューティＤｏｎの制御値を求め、制御値に基づいてオンデューティＤｏｎを調整する。制御回路１ｅは、調光レベルの指示値に応じてフィードバックゲインα１、α２、α３又はβ１、β２、β３を設定する。
【００８５】
上述の点灯システム１１は、入力電圧（交流電圧Ｖａ）の値が瞬時的に変動した場合でも、光源１２が発する光のちらつきを低減することができる。
【００８６】
また、実施形態に係る第２の態様の点灯システム１１は、第１の態様において、光源１２の両端電圧（負荷電圧Ｖｆ）の大きさを負荷電圧値として検出する負荷電圧検出回路１ｐをさらに備えることが好ましい。制御回路１ｅは、調光レベルの指示値及び負荷電圧値に応じてフィードバックゲインβ１、β２、β３を設定することが好ましい。
【００８７】
上述の点灯システム１１は、光源１２の順方向電圧の特性に応じたフィードバックゲインβ１、β２、β３を設定することができる。この結果、光源１２の順方向電圧の特性に関わらず、光源１２が発する光のちらつきを低減することができる。
【００８８】
また、実施形態に係る第３の態様の点灯システム１１は、第２の態様において、制御回路１ｅは、調光レベルの指示値が低いほどフィードバックゲインβ１、β２、β３の絶対値を大きくし、かつ、負荷電圧値が低いほどフィードバックゲインβ１、β２、β３の絶対値を大きくすることが好ましい。
【００８９】
上述の点灯システム１１は、光源１２の順方向電圧の特性に関わらず、光源１２が発する光のちらつきを低減することができる。
【００９０】
また、実施形態に係る第４の態様の点灯システム１１は、第１乃至第３の態様のいずれか一つにおいて、検出電流値が増大する方向に電流検出信号Ｓｄの大きさをオフセットさせるオフセット回路１ｍをさらに備えることが好ましい。制御回路１ｅは、オフセットされた電流検出信号Ｓｄに基づいて検出電流値を求める。
【００９１】
上述の点灯システム１１は、電流検出信号Ｓｄのノイズ耐性を向上させることができる。
【００９２】
また、実施形態に係る第５の態様の点灯システム１１は、第１乃至第４の態様のいずれか一つにおいて、検出電流値に対応する電圧値と目標電流値に対応する電圧値との差を増幅して、偏差信号Ｓｇとして出力する偏差増幅回路１ｎをさらに備えることが好ましい。制御回路１ｅは、偏差信号Ｓｇに基づいて偏差を求める。
【００９３】
上述の点灯システム１１は、点灯状態に関わらずノイズ耐性を向上させることができる。
【００９４】
また、実施形態に係る第６の態様の点灯システム１１は、第１乃至第５の態様のいずれか一つにおいて、電源回路１１０は、交流電源９の力率を改善する力率改善機能を有することが好ましい。
【００９５】
上述の点灯システム１１は、力率改善機能を有する電源回路１１０を有する場合に、入力電圧（交流電圧Ｖａ）の値が瞬時的に変動した場合でも、光源１２が発する光のちらつきを低減することができる。
【００９６】
また、実施形態に係る第７の態様の点灯システム１１は、第１乃至第６の態様のいずれか一つにおいて、制御回路１ｅは、調光レベルの指示値が高いほど目標電流値を大きくし、かつフィードバックゲインを小さくすることが好ましい。また、制御回路１ｅは、調光レベルの指示値が低いほど目標電流値を小さくし、かつフィードバックゲインを大きくすることが好ましい。
【００９７】
上述の点灯システム１１は、調光レベルの指示値に応じたフィードバックゲインを設定でき、入力電圧（交流電圧Ｖａ）の値が瞬時的に変動した場合でも、光源１２が発する光のちらつきを低減することができる。
【００９８】
また、実施形態に係る第８の態様の点灯システム１１は、第１乃至第７の態様のいずれか一つにおいて、調光レベルの指示値を表す指示情報を外部から受け取る位相検出回路１ｄ（情報取得部）をさらに備えることが好ましい。電源回路１１０は、交流電源９の交流電圧Ｖａの通電期間である導通角θが可変に設定された交流の位相制御電圧Ｖｂを入力される。位相検出回路１ｄは、導通角θを指示情報として受け取り、制御回路１ｅへ調光レベルの指示値を伝達する。
【００９９】
上述の点灯システム１１は、交流電圧の位相を制御する位相制御式が調光方式として採用された場合でも、光源１２が発する光のちらつきを低減することができる。
【０１００】
また、実施形態に係る第９の態様の照明装置１は、第１乃至第８のいずれか一項に記載の点灯システム１１と、点灯システム１１から負荷電流Ｉｏを供給される光源１２と、を備える。
【０１０１】
上述の照明装置１は、入力電圧（交流電圧Ｖａ）の値が瞬時的に変動した場合でも、光源１２が発する光のちらつきを低減することができる。
【０１０２】
また、実施形態に係る第１０の態様の照明器具Ｂ１，Ｂ２は、第１乃至第８のいずれか一項に記載の点灯システム１１と、点灯システム１１から負荷電流Ｉｏを供給される光源１２と、少なくとも光源１２が支持される筐体３１，３２，６１と、を備える。
【０１０３】
上述の照明器具Ｂ１，Ｂ２は、入力電圧（交流電圧Ｖａ）の値が瞬時的に変動した場合でも、光源１２が発する光のちらつきを低減することができる。
【０１０４】
また、上述の実施形態および変形例は一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【０１０５】
１  照明装置
１１  点灯システム
１２  光源
１１０  電源回路
１ｄ  位相検出回路（情報取得部）
１ｅ  制御回路
１ｊ  電流検出回路
１ｍ  オフセット回路
１ｎ  偏差増幅回路
１ｐ  負荷電圧検出回路
３１，３２，６１  筐体
９  交流電源
Ｂ１，Ｂ２  照明器具
Ｖａ  交流電圧
Ｖｆ  負荷電圧
Ｉｏ  負荷電流
Ｓｄ  電流検出信号
Ｓｇ  偏差信号
Ｄｏｎ  オンデューティ
α１、α２、α３  フィードバックゲイン
β１、β２、β３  フィードバックゲイン
θ  導通角
【図１】
2019175836.tif 000003
【図２】
2019175836.tif 000004
【図３】
2019175836.tif 000005
【図４】
2019175836.tif 000006
【図５】
2019175836.tif 000007
【図６】
2019175836.tif 000008
【図７】
2019175836.tif 000009
【図８】
2019175836.tif 000010
【図９】
2019175836.tif 000011
【図１０】
2019175836.tif 000012
【図１１】
2019175836.tif 000013